(57)【要約】【課題】  発表時に要する手間や時間および発表時にミスが生じる可能性を低減することができ、しかも表示順序のスケジューリングについて状況変化に柔軟に対応することができる表示制御システムを提供する。【解決手段】  各発表者は、ユーザ端末２００においてインターネット１９９を介してプロジェクタ表示データをプロジェクタ１００に登録する。プロジェクタ１００は、投影を行うに先立って、プロジェクタ表示データに割り当てられた優先順位に従ってスタック領域のなかでプロジェクタ表示データを並び換え、投影を行うときは、スタック記憶方式に従った読出順序でスタック領域から読み出されるプロジェクタ表示データに基づいてその投影内容を投影装置４４で投影するようになっている。【選択図】  図１
2004341548.tif 000002
【特許請求の範囲】
【請求項１】
複数の表示データが与えられたときに、与えられた表示データに基づいて表示を行うシステムであって、
表示手段と、前記表示データに基づいてその表示内容を前記表示手段に表示する表示制御手段とを備え、
前記表示制御手段は、表示を行うに先立って、前記表示データを優先順位の割当とともに格納した表示データ記憶手段のなかで、前記表示データに割り当てられた優先順位に従って前記表示データを並び換え、表示を行うときは、前記表示データ記憶手段から所定順序で読み出される表示データに基づいてその表示内容を前記表示手段に表示するようになっていることを特徴とする表示制御システム。
【請求項２】
複数の表示データが与えられたときに、与えられた表示データに基づいて表示を行うシステムであって、
表示手段と、前記表示データに基づいてその表示内容を前記表示手段に表示する表示制御手段とを備え、
前記表示制御手段は、前記表示データを優先順位の割当とともに格納した表示データ記憶手段のなかから、前記表示データに割り当てられた優先順位に従って前記表示データを選択し、選択した表示データに基づいてその表示内容を前記表示手段に表示するようになっていることを特徴とする表示制御システム。
【請求項３】
複数の表示データが与えられたときに、与えられた表示データに基づいて表示を行う機器であって、
表示手段と、前記表示データを優先順位の割当とともに格納するための表示データ記憶手段と、前記表示データ記憶手段の表示データに基づいてその表示内容を前記表示手段に表示する表示制御手段とを備え、
前記表示制御手段は、表示を行うに先立って、前記表示データに割り当てられた優先順位に従って前記表示データ記憶手段のなかで前記表示データを並び換え、表示を行うときは、前記表示データ記憶手段から所定順序で読み出される表示データに基づいてその表示内容を前記表示手段に表示するようになっていることを特徴とする表示機器。
【請求項４】
請求項３において、
前記表示データは、優先順位を示す優先順位情報を含み、
前記表示制御手段は、表示を行うに先立って、前記表示データに含まれる優先順位情報により特定される優先順位に従って前記表示データ記憶手段のなかで前記表示データを並び換えるようになっていることを特徴とする表示機器。
【請求項５】
請求項３および４のいずれか１項において、
前記所定順序は、スタック記憶方式に従った読出順序であり、
前記表示制御手段は、表示を行うに先立って、前記表示データに割り当てられた優先順位が高いものほど前記表示データ記憶手段の先頭方向に位置するように前記表示データを並び換えるようになっていることを特徴とする表示機器。
【請求項６】
複数の表示データが与えられたときに、与えられた表示データに基づいて表示を行う機器であって、
表示手段と、前記表示データを優先順位の割当とともに格納するための表示データ記憶手段と、前記表示データ記憶手段の表示データに基づいてその表示内容を前記表示手段に表示する表示制御手段とを備え、
前記表示制御手段は、前記表示データに割り当てられた優先順位に従って前記表示データ記憶手段のなかから前記表示データを選択し、選択した表示データに基づいてその表示内容を前記表示手段に表示するようになっていることを特徴とする表示機器。
【請求項７】
請求項６において、
前記表示データは、優先順位を示す優先順位情報を含み、
前記表示制御手段は、前記表示データに含まれる優先順位情報により特定される優先順位に従って前記表示データ記憶手段のなかから前記表示データを選択するようになっていることを特徴とする表示機器。
【請求項８】
請求項３ないし７のいずれか１項において、
投影型表示装置であることを特徴とする表示機器。
【請求項９】
表示手段と、前記表示データを優先順位の割当とともに格納するための表示データ記憶手段とを備えるコンピュータに実行させるためのプログラムであって、
前記表示データ記憶手段の表示データに基づいてその表示内容を前記表示手段に表示する表示制御手段として実現される処理を前記コンピュータに実行させるためのプログラムであり、
前記表示制御手段は、表示を行うに先立って、前記表示データに割り当てられた優先順位に従って前記表示データ記憶手段のなかで前記表示データを並び換え、表示を行うときは、前記表示データ記憶手段から所定順序で読み出される表示データに基づいてその表示内容を前記表示手段に表示するようになっていることを特徴とする表示制御プログラム。
【請求項１０】
表示手段と、前記表示データを優先順位の割当とともに格納するための表示データ記憶手段とを備えるコンピュータに実行させるためのプログラムであって、
前記表示データ記憶手段の表示データに基づいてその表示内容を前記表示手段に表示する表示制御手段として実現される処理を前記コンピュータに実行させるためのプログラムであり、
前記表示制御手段は、前記表示データに割り当てられた優先順位に従って前記表示データ記憶手段のなかから前記表示データを選択し、選択した表示データに基づいてその表示内容を前記表示手段に表示するようになっていることを特徴とする表示制御プログラム。
【請求項１１】
複数の表示データが与えられたときに、与えられた表示データに基づいて表示を行う方法であって、
表示を行うに先立って、前記表示データを優先順位の割当とともに格納した表示データ記憶手段のなかで、前記表示データに割り当てられた優先順位に従って前記表示データを並び換える並び換えステップと、
表示を行うときは、前記表示データ記憶手段から所定順序で読み出される表示データに基づいてその表示内容を前記表示手段に表示する表示ステップとを含むことを特徴とする表示制御方法。
【請求項１２】
複数の表示データが与えられたときに、与えられた表示データに基づいて表示を行うシステムであって、
前記表示データを優先順位の割当とともに格納した表示データ記憶手段のなかから、前記表示データに割り当てられた優先順位に従って前記表示データを選択する選択ステップと、
前記選択ステップで選択した表示データに基づいてその表示内容を前記表示手段に表示する表示ステップとを含むことを特徴とする表示制御方法。
【発明の詳細な説明】
【技術分野】
【０００１】
本発明は、与えられた表示データに基づいて表示を行うシステム、機器およびプログラム、並びに方法に係り、特に、発表時に要する手間や時間および発表時にミスが生じる可能性を低減することができ、しかも表示順序のスケジューリングについて状況変化に柔軟に対応することができる表示制御システム、表示機器および表示制御プログラム、並びに表示制御方法に関する。
【背景技術】
【０００２】
従来、スクリーンに画像を投影するプロジェクタとしては、例えば、コンピュータ等を接続するための接続端子と、接続端子を介して入力した画像信号に基づいてスクリーンに画像を投影する投影装置とを備えるものがある。こうしたプロジェクタを用いてプレゼンテーションを行う場合、発表者は、プレゼンテーション資料としてプロジェクタで投影するためのプロジェクタ表示データを格納したノート型コンピュータ等をプロジェクタに接続し、そのノート型コンピュータ等を操作することによりプレゼンテーション資料をスクリーンに投影しながらプレゼンテーションを行う。
【０００３】
しかしながら、プレゼンテーション資料は、各発表者が所持するノート型コンピュータ等にそれぞれ格納されている場合が多いため、従来のプロジェクタにあっては、各発表者のプレゼンテーション資料を一つのノート型コンピュータ等にまとめない限り、発表ごとにノート型コンピュータ等をプロジェクタに接続しなければならず、接続作業に手間や時間を要し煩雑となるばかりか、発表者にとっても、発表会場にノート型コンピュータ等を持ち込まなければならず、持ち運びに労力を要するという問題があった。
【０００４】
したがって、各発表者がノート型コンピュータ等を持ち込まずにすみ、各発表者が個別にまとめたプレゼンテーション資料を簡単に発表できるようなシステムを構築することが期待されている。例えば、発表者がプレゼンテーション資料をあらかじめファイルサーバ（プロジェクタ内蔵の記憶装置でもよい。）に格納しておき、発表時にプレゼンテーション資料をファイルサーバから自動的に読み込んで表示することが一つの手法として提案できる。この場合、発表時に、その発表を行う発表者のプレゼンテーション資料を読み込める、すなわち発表者に応じたプレゼンテーション資料を読み込めるという点を実現することがポイントとなる。
【発明の開示】
【発明が解決しようとする課題】
【０００５】
発表者に応じたプレゼンテーション資料を読み込むには、発表者がプロジェクタ等の操作によりファイルサーバのなかから自己のプロジェクタ表示データを選択して読み込むか、またはプロジェクタ表示データをファイルサーバから読み込む順序をあらかじめスケジューリングしておき、そのスケジュールに従ってプロジェクタ表示データを読み込むかの方法が考えられる。
【０００６】
しかしながら、前者の方法にあっては、発表時に発表者が操作作業を行わなければならないため、操作に不慣れな者であれば手間や時間を要するし、また、他人のプロジェクタ表示データを誤って選択してしまうというミスも生じやすい。
一方、後者の方法によれば、例えば、プロジェクタ表示データをファイルサーバに格納した順に表示するという簡単なスケジュールを組むことができるが、この場合、ファイルサーバへの格納順序と発表順序とが完全に一致していなければ、発表時に他人のプロジェクタ表示データが読み込まれてしまうという不具合が生じる。また、仮に発表順序通りにプロジェクタ表示データを格納できたとしても、格納後に、発表者を新たに増やしたいといった場合には、プロジェクタ表示データを格納し直す必要があり、状況変化に柔軟に対応することができない。
【０００７】
そこで、本発明は、このような従来の技術の有する未解決の課題に着目してなされたものであって、発表時に要する手間や時間および発表時にミスが生じる可能性を低減することができ、しかも表示順序のスケジューリングについて状況変化に柔軟に対応することができる表示制御システム、表示機器および表示制御プログラム、並びに表示制御方法を提供することを目的としている。
【課題を解決するための手段】
【０００８】
〔発明１〕  上記目的を達成するために、発明１の表示制御システムは、
複数の表示データが与えられたときに、与えられた表示データに基づいて表示を行うシステムであって、
表示手段と、前記表示データに基づいてその表示内容を前記表示手段に表示する表示制御手段とを備え、
前記表示制御手段は、表示を行うに先立って、前記表示データを優先順位の割当とともに格納した表示データ記憶手段のなかで、前記表示データに割り当てられた優先順位に従って前記表示データを並び換え、表示を行うときは、前記表示データ記憶手段から所定順序で読み出される表示データに基づいてその表示内容を前記表示手段に表示するようになっていることを特徴とする。
【０００９】
このような構成であれば、複数の表示データをそれぞれ優先順位の割当とともに表示データ記憶手段に格納しておくと、表示を行うに先立って、表示制御手段により、表示データに割り当てられた優先順位に従って表示データ記憶手段のなかで表示データが並び換えられる。そして、表示を行うときは、表示制御手段により、表示データ記憶手段から所定順序で読み出される表示データに基づいてその表示内容が表示手段に表示される。
【００１０】
したがって、本システムをプレゼンテーションに適用する場合には、各発表者は、自己の表示データに対して発表順序に応じた優先順位を割り当てれば、発表順序に応じた順序で表示を行うことができる。また、発表者を新たに増やしたいといった場合には、該当の順序に応じた優先順位を割り当てればよい。例えば、３つの表示データに優先順位として「１０」、「２０」、「３０」がそれぞれ割り当てられているところ、優先順位「１０」の表示データと優先順位「２０」の表示データとの間に新たな発表者の表示データを挿入したい場合には、その表示データに対して１０よりも大きくかつ２０未満の優先順位を割り当てればよい。これにより、表示データ記憶手段への格納順序を考慮することなく、また、状況変化にも比較的柔軟に対応することが可能となる。
【００１１】
これにより、発表時に操作作業を行うことなく比較的適切な順序で表示を行うことができるので、従来に比して、発表時に要する手間や時間および発表時にミスが生じる可能性を低減することができるという効果が得られる。さらに、表示順序を比較的柔軟にスケジューリングすることができるので、従来に比して、表示順序のスケジューリングについて状況変化に柔軟に対応することができるという効果も得られる。
【００１２】
ここで、本システムは、単一の装置として実現するようにしてもよいし、複数の端末を通信可能に接続したネットワークシステムとして実現するようにしてもよい。後者の場合、各構成要素は、それぞれ通信可能に接続されていれば、複数の端末のうちどの端末に属していてもよい。以下、発明２の表示制御システムにおいて同じである。
また、優先順位の割当は、静的または動的に行うことができる。優先順位を静的に割り当てる場合には、例えば、優先順位を示す情報を表示データにあらかじめ含めておくことが、優先順位を動的に割り当てる場合には、例えば、表示データの格納時等の並び換えの前に、優先順位の割当を外部から入力することが挙げられる。以下、発明３の表示機器において同じである。
【００１３】
また、表示データ記憶手段は、本システムにあらかじめ備えるものであってもよいし、外部から与えられるものであってもよい。以下、発明２の表示制御システムにおいて同じである。
【００１４】
〔発明２〕  さらに、発明２の表示制御システムは、
複数の表示データが与えられたときに、与えられた表示データに基づいて表示を行うシステムであって、
表示手段と、前記表示データに基づいてその表示内容を前記表示手段に表示する表示制御手段とを備え、
前記表示制御手段は、前記表示データを優先順位の割当とともに格納した表示データ記憶手段のなかから、前記表示データに割り当てられた優先順位に従って前記表示データを選択し、選択した表示データに基づいてその表示内容を前記表示手段に表示するようになっていることを特徴とする。
【００１５】
このような構成であれば、複数の表示データをそれぞれ優先順位の割当とともに表示データ記憶手段に格納しておくと、表示を行うときは、表示制御手段により、表示データに割り当てられた優先順位に従って表示データ記憶手段のなかから表示データが選択され、選択された表示データに基づいてその表示内容が表示手段に表示される。
したがって、本システムをプレゼンテーションに適用する場合には、各発表者は、自己の表示データに対して発表順序に応じた優先順位を割り当てれば、発表順序に応じた順序で表示を行うことができる。また、発表者を新たに増やしたいといった場合には、該当の順序に応じた優先順位を割り当てればよい。例えば、３つの表示データに優先順位として「１０」、「２０」、「３０」がそれぞれ割り当てられているところ、優先順位「１０」の表示データと優先順位「２０」の表示データとの間に新たな発表者の表示データを挿入したい場合には、その表示データに対して１０よりも大きくかつ２０未満の優先順位を割り当てればよい。これにより、表示データ記憶手段への格納順序を考慮することなく、また、状況変化にも比較的柔軟に対応することが可能となる。
【００１６】
これにより、発表時に操作作業を行うことなく比較的適切な順序で表示を行うことができるので、従来に比して、発表時に要する手間や時間および発表時にミスが生じる可能性を低減することができるという効果が得られる。さらに、表示順序を比較的柔軟にスケジューリングすることができるので、従来に比して、表示順序のスケジューリングについて状況変化に柔軟に対応することができるという効果も得られる。
【００１７】
ここで、優先順位の割当は、静的または動的に行うことができる。優先順位を静的に割り当てる場合には、例えば、優先順位を示す情報を表示データにあらかじめ含めておくことが、優先順位を動的に割り当てる場合には、例えば、表示データの格納時等の選択の前に、優先順位の割当を外部から入力することが挙げられる。以下、発明６の表示機器において同じである。
【００１８】
〔発明３〕  一方、上記目的を達成するために、発明３の表示機器は、
複数の表示データが与えられたときに、与えられた表示データに基づいて表示を行う機器であって、
表示手段と、前記表示データを優先順位の割当とともに格納するための表示データ記憶手段と、前記表示データ記憶手段の表示データに基づいてその表示内容を前記表示手段に表示する表示制御手段とを備え、
前記表示制御手段は、表示を行うに先立って、前記表示データに割り当てられた優先順位に従って前記表示データ記憶手段のなかで前記表示データを並び換え、表示を行うときは、前記表示データ記憶手段から所定順序で読み出される表示データに基づいてその表示内容を前記表示手段に表示するようになっていることを特徴とする。
【００１９】
このような構成であれば、複数の表示データをそれぞれ優先順位の割当とともに表示データ記憶手段に格納しておくと、表示を行うに先立って、表示制御手段により、表示データに割り当てられた優先順位に従って表示データ記憶手段のなかで表示データが並び換えられる。そして、表示を行うときは、表示制御手段により、表示データ記憶手段から所定順序で読み出される表示データに基づいてその表示内容が表示手段に表示される。
【００２０】
したがって、本システムをプレゼンテーションに適用する場合には、各発表者は、自己の表示データに対して発表順序に応じた優先順位を割り当てれば、発表順序に応じた順序で表示を行うことができる。また、発表者を新たに増やしたいといった場合には、該当の順序に応じた優先順位を割り当てればよい。例えば、３つの表示データに優先順位として「１０」、「２０」、「３０」がそれぞれ割り当てられているところ、優先順位「１０」の表示データと優先順位「２０」の表示データとの間に新たな発表者の表示データを挿入したい場合には、その表示データに対して１０よりも大きくかつ２０未満の優先順位を割り当てればよい。これにより、表示データ記憶手段への格納順序を考慮することなく、また、状況変化にも比較的柔軟に対応することが可能となる。
【００２１】
これにより、発表時に操作作業を行うことなく比較的適切な順序で表示を行うことができるので、従来に比して、発表時に要する手間や時間および発表時にミスが生じる可能性を低減することができるという効果が得られる。さらに、表示順序を比較的柔軟にスケジューリングすることができるので、従来に比して、表示順序のスケジューリングについて状況変化に柔軟に対応することができるという効果も得られる。
【００２２】
ここで、表示データ記憶手段は、表示データをあらゆる手段でかつあらゆる時期に記憶するものであり、表示データをあらかじめ記憶してあるものであってもよいし、表示データをあらかじめ記憶することなく、本システムの動作時に外部からの入力等によって表示データを記憶するようになっていてもよい。以下、発明６の表示機器において同じである。
【００２３】
〔発明４〕  さらに、発明４の表示機器は、発明３の表示機器において、
前記表示データは、優先順位を示す優先順位情報を含み、
前記表示制御手段は、表示を行うに先立って、前記表示データに含まれる優先順位情報により特定される優先順位に従って前記表示データ記憶手段のなかで前記表示データを並び換えるようになっていることを特徴とする。
【００２４】
このような構成であれば、表示を行うに先立って、表示制御手段により、表示データに含まれる優先順位情報により特定される優先順位に従って表示データ記憶手段のなかで表示データが並び換えられる。
これにより、優先順位情報をあらかじめ表示データに含めておけばよいので、発表時に要する手間や時間をさらに低減することができるという効果が得られる。
【００２５】
〔発明５〕  さらに、発明５の表示機器は、発明３および４のいずれか１の表示機器において、
前記所定順序は、スタック記憶方式に従った読出順序であり、
前記表示制御手段は、表示を行うに先立って、前記表示データに割り当てられた優先順位が高いものほど前記表示データ記憶手段の先頭方向に位置するように前記表示データを並び換えるようになっていることを特徴とする。
【００２６】
このような構成であれば、表示を行うに先立って、表示制御手段により、表示データに割り当てられた優先順位が高いものほど表示データ記憶手段の先頭方向に位置するように表示データが並び換えられる。
【００２７】
〔発明６〕  さらに、発明６の表示機器は、
複数の表示データが与えられたときに、与えられた表示データに基づいて表示を行う機器であって、
表示手段と、前記表示データを優先順位の割当とともに格納するための表示データ記憶手段と、前記表示データ記憶手段の表示データに基づいてその表示内容を前記表示手段に表示する表示制御手段とを備え、
前記表示制御手段は、前記表示データに割り当てられた優先順位に従って前記表示データ記憶手段のなかから前記表示データを選択し、選択した表示データに基づいてその表示内容を前記表示手段に表示するようになっていることを特徴とする。
【００２８】
このような構成であれば、複数の表示データをそれぞれ優先順位の割当とともに表示データ記憶手段に格納しておくと、表示を行うときは、表示制御手段により、表示データに割り当てられた優先順位に従って表示データ記憶手段のなかから表示データが選択され、選択された表示データに基づいてその表示内容が表示手段に表示される。
したがって、本システムをプレゼンテーションに適用する場合には、各発表者は、自己の表示データに対して発表順序に応じた優先順位を割り当てれば、発表順序に応じた順序で表示を行うことができる。また、発表者を新たに増やしたいといった場合には、該当の順序に応じた優先順位を割り当てればよい。例えば、３つの表示データに優先順位として「１０」、「２０」、「３０」がそれぞれ割り当てられているところ、優先順位「１０」の表示データと優先順位「２０」の表示データとの間に新たな発表者の表示データを挿入したい場合には、その表示データに対して１０よりも大きくかつ２０未満の優先順位を割り当てればよい。これにより、表示データ記憶手段への格納順序を考慮することなく、また、状況変化にも比較的柔軟に対応することが可能となる。
【００２９】
これにより、発表時に操作作業を行うことなく比較的適切な順序で表示を行うことができるので、従来に比して、発表時に要する手間や時間および発表時にミスが生じる可能性を低減することができるという効果が得られる。さらに、表示順序を比較的柔軟にスケジューリングすることができるので、従来に比して、表示順序のスケジューリングについて状況変化に柔軟に対応することができるという効果も得られる。
【００３０】
〔発明７〕  さらに、発明７の表示機器は、発明６の表示機器において、
前記表示データは、優先順位を示す優先順位情報を含み、
前記表示制御手段は、前記表示データに含まれる優先順位情報により特定される優先順位に従って前記表示データ記憶手段のなかから前記表示データを選択するようになっていることを特徴とする。
【００３１】
このような構成であれば、表示制御手段により、表示データに含まれる優先順位情報により特定される優先順位に従って表示データ記憶手段のなかから表示データが選択される。
これにより、優先順位情報をあらかじめ表示データに含めておけばよいので、発表時に要する手間や時間をさらに低減することができるという効果が得られる。
【００３２】
〔発明８〕  さらに、発明８の表示機器は、発明３ないし７のいずれか１の表示機器において、
投影型表示装置であることを特徴とする。
このような構成であれば、与えられた表示データに基づいて投影型表示装置による投影表示が行われる。
【００３３】
〔発明９〕  一方、上記目的を達成するために、発明９の表示制御プログラムは、
表示手段と、前記表示データを優先順位の割当とともに格納するための表示データ記憶手段とを備えるコンピュータに実行させるためのプログラムであって、
前記表示データ記憶手段の表示データに基づいてその表示内容を前記表示手段に表示する表示制御手段として実現される処理を前記コンピュータに実行させるためのプログラムであり、
前記表示制御手段は、表示を行うに先立って、前記表示データに割り当てられた優先順位に従って前記表示データ記憶手段のなかで前記表示データを並び換え、表示を行うときは、前記表示データ記憶手段から所定順序で読み出される表示データに基づいてその表示内容を前記表示手段に表示するようになっていることを特徴とする。
【００３４】
このような構成であれば、コンピュータによってプログラムが読み取られ、読み取られたプログラムに従ってコンピュータが処理を実行すると、発明３の表示機器と同等の作用が得られる。
これにより、発明３の表示機器と同等の効果が得られる。
【００３５】
〔発明１０〕  さらに、発明１０の表示制御プログラムは、
表示手段と、前記表示データを優先順位の割当とともに格納するための表示データ記憶手段とを備えるコンピュータに実行させるためのプログラムであって、
前記表示データ記憶手段の表示データに基づいてその表示内容を前記表示手段に表示する表示制御手段として実現される処理を前記コンピュータに実行させるためのプログラムであり、
前記表示制御手段は、前記表示データに割り当てられた優先順位に従って前記表示データ記憶手段のなかから前記表示データを選択し、選択した表示データに基づいてその表示内容を前記表示手段に表示するようになっていることを特徴とする。
【００３６】
このような構成であれば、コンピュータによってプログラムが読み取られ、読み取られたプログラムに従ってコンピュータが処理を実行すると、発明６の表示機器と同等の作用が得られる。
これにより、発明６の表示機器と同等の効果が得られる。
【００３７】
〔発明１１〕  一方、上記目的を達成するために、発明１１の表示制御方法は、
複数の表示データが与えられたときに、与えられた表示データに基づいて表示を行う方法であって、
表示を行うに先立って、前記表示データを優先順位の割当とともに格納した表示データ記憶手段のなかで、前記表示データに割り当てられた優先順位に従って前記表示データを並び換える並び換えステップと、
表示を行うときは、前記表示データ記憶手段から所定順序で読み出される表示データに基づいてその表示内容を前記表示手段に表示する表示ステップとを含むことを特徴とする。
これにより、発明１の表示制御システムと同等の効果が得られる。
【００３８】
〔発明１２〕  さらに、発明１２の表示制御方法は、
複数の表示データが与えられたときに、与えられた表示データに基づいて表示を行うシステムであって、
前記表示データを優先順位の割当とともに格納した表示データ記憶手段のなかから、前記表示データに割り当てられた優先順位に従って前記表示データを選択する選択ステップと、
前記選択ステップで選択した表示データに基づいてその表示内容を前記表示手段に表示する表示ステップとを含むことを特徴とする。
これにより、発明２の表示制御システムと同等の効果が得られる。
【発明を実施するための最良の形態】
【００３９】
以下、本発明の実施の形態を図面を参照しながら説明する。図１ないし図４は、本発明に係る表示制御システム、表示機器および表示制御プログラム、並びに表示制御方法の実施の形態を示す図である。
本実施の形態は、本発明に係る表示制御システム、表示機器および表示制御プログラム、並びに表示制御方法を、図１に示すように、各発表者がユーザ端末２００で作成したプロジェクタ表示データをプロジェクタ１００に送信し、プロジェクタ１００において、受信した複数のプロジェクタ表示データに基づいて所定順序で投影を行い、これによりプレゼンテーションを行う場合について適用したものである。
【００４０】
まず、本発明を適用するネットワークシステムの構成を図１を参照しながら説明する。図１は、本発明を適用するネットワークシステムの構成を示すブロック図である。
インターネット１９９には、図１に示すように、与えられたプロジェクタ表示データに基づいて投影を行うプロジェクタ１００と、発表者の利用に供する複数のユーザ端末２００とが接続されている。
【００４１】
ユーザ端末２００は、ＣＰＵ、ＲＯＭ、ＲＡＭおよびＩ／Ｆ等をバス接続した一般的なコンピュータと同一機能を有して構成されており、ユーザ端末２００の記憶装置には、プレゼンテーション資料としてプロジェクタ１００で投影するためのプロジェクタ表示データが格納されている。プロジェクタ表示データは、優先順位を示す優先順位情報を含み、表示内容をページ単位で区分したページデータを１または複数含んで構成されている。ここで、優先順位は、発表者が独自に設定する。例えば、発表順序が３番目であれば、優先順位として「３」を設定する。
【００４２】
次に、プロジェクタ１００の構成を図２を参照しながら詳細に説明する。図２は、プロジェクタ１００の構成を示すブロック図である。
プロジェクタ１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００４３】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面をスクリーンに投影する投影装置４４と、インターネット１９９に接続するための信号線とが接続されている。
ＣＰＵ３０は、マイクロプロセッシングユニットＭＰＵ等からなり、ＲＯＭ３２の所定領域に格納されている所定のプログラムを起動させ、そのプログラムに従って、図３および図４のフローチャートに示すプロジェクタ表示データ登録処理およびプロジェクタ制御処理を実行するようになっている。
【００４４】
初めに、プロジェクタ表示データ登録処理を図３を参照しながら詳細に説明する。図３は、プロジェクタ表示データ登録処理を示すフローチャートである。
プロジェクタ表示データ登録処理は、ユーザ端末２００から送信されたプロジェクタ表示データを記憶装置４２に登録する処理であって、ＣＰＵ３０において実行されると、図３に示すように、まず、ステップＳ１００に移行するようになっている。
【００４５】
ステップＳ１００では、プロジェクタ表示データを受信したか否かを判定し、プロジェクタ表示データを受信したと判定したとき(Yes)は、ステップＳ１０２に移行するが、そうでないと判定したとき(No)は、プロジェクタ表示データを受信するまでステップＳ１００で待機する。
ステップＳ１０２では、受信したプロジェクタ表示データを記憶装置４２のスタック領域に格納する。ここで、スタック領域とは、記憶装置４２の記憶領域の一部であり、その先頭アドレスは、スタックポインタと呼ばれるポインタにより示される。
【００４６】
次いで、ステップＳ１０４に移行して、受信したプロジェクタ表示データのサイズだけスタックポインタを減算し、一連の処理を終了して元の処理に復帰させる。
次に、プロジェクタ制御処理を図４を参照しながら詳細に説明する。図４は、プロジェクタ制御処理を示すフローチャートである。
プロジェクタ制御処理は、与えられた操作命令に応じてプロジェクタ１００を制御する処理であって、ＣＰＵ３０において実行されると、図４に示すように、まず、ステップＳ２００に移行するようになっている。
【００４７】
ステップＳ２００では、プロジェクタ表示データがスタック領域に格納されているか否かを判定し、プロジェクタ表示データがスタック領域に格納されていると判定したとき(Yes)は、ステップＳ２０２に移行するが、そうでないと判定したとき(No)は、ステップＳ２００で待機する。
ステップＳ２０２では、操作命令を入力装置４０から入力し、ステップＳ２０４に移行して、入力した操作命令が、プロジェクタ１００で投影を開始することを示す命令「OPEN」であるか否かを判定し、入力した操作命令が「OPEN」であると判定したとき(Yes)は、ステップＳ２０６に移行する。
【００４８】
ステップＳ２０６では、スタック領域のプロジェクタ表示データがソート済みであるか否かを判定し、スタック領域のプロジェクタ表示データがソート済みでないと判定したとき(No)は、ステップＳ２０８に移行して、スタック領域のプロジェクタ表示データをソートするソート処理を実行する。具体的に、ステップＳ２０８では、プロジェクタ表示データに含まれる優先順位情報により特定される優先順位に従って、スタック領域のなかでプロジェクタ表示データを並び換える。このとき、プロジェクタ表示データに含まれる優先順位情報により特定される優先順位が高いものほどスタック領域の先頭方向に位置するように、プロジェクタ表示データを並び換える。
【００４９】
次いで、ステップＳ２１０に移行して、スタック領域の先頭からプロジェクタ表示データを読み出し、ステップＳ２１２に移行して、読み出したプロジェクタ表示データのサイズだけスタックポインタを加算し、ステップＳ２１４に移行して、読み出したプロジェクタ表示データに基づいて投影装置４４で投影を開始し、一連の処理を終了して元の処理に復帰させる。
【００５０】
一方、ステップＳ２０６で、スタック領域のプロジェクタ表示データがソート済みであると判定したとき(Yes)は、ステップＳ２１０に移行する。
一方、ステップＳ２０４で、入力した操作命令が「OPEN」でないと判定したとき(No)は、ステップＳ２１６に移行して、入力した操作命令が、投影中のプレゼンテーションを１ページ進めることを示す命令「NEXT」であるか否かを判定し、入力した操作命令が「NEXT」であると判定したとき(Yes)は、ステップＳ２１８に移行して、投影中のプレゼンテーションを１ページ進め、一連の処理を終了して元の処理に復帰させる。
【００５１】
一方、ステップＳ２１６で、入力した操作命令が「NEXT」でないと判定したとき(No)は、ステップＳ２２０に移行して、入力した操作命令が、投影中のプレゼンテーションを１ページ戻すことを示す命令「PRIOR」であるか否かを判定し、入力した操作命令が「PRIOR」であると判定したとき(Yes)は、ステップＳ２２０に移行して、投影中のプレゼンテーションを１ページ戻し、一連の処理を終了して元の処理に復帰させる。
【００５２】
一方、ステップＳ２２０で、入力した操作命令が「PRIOR」でないと判定したとき(No)は、一連の処理を終了して元の処理に復帰させる。
次に、上記実施の形態の動作を説明する。
初めに、各発表者のプロジェクタ表示データをプロジェクタ１００に登録する場合を説明する。
【００５３】
各発表者は、ユーザ端末２００において、プレゼンテーション資料となるプロジェクタ表示データを作成するとともに、プロジェクタ表示データに含まれる優先順位情報に対して自己の発表順序に応じた優先順位を設定し、そのようなプロジェクタ表示データをプロジェクタ１００に送信する。
プロジェクタ１００では、プロジェクタ表示データを受信すると、ステップＳ１０２，Ｓ１０４を経て、受信したプロジェクタ表示データがスタック領域に格納され、受信したプロジェクタ表示データのサイズだけスタックポインタが減算される。これをすべての発表者について繰り返すことにより、スタック領域には、各発表者のプロジェクタ表示データが登録順に格納される。
【００５４】
次に、発表者がプロジェクタ１００においてプレゼンテーションを行う場合を説明する。
このように、各発表者のプロジェクタ表示データがスタック領域に格納された状態で発表者がプレゼンテーションを行うには、発表者は、プロジェクタ１００において操作命令「OPEN」を入力装置４０に入力する。
【００５５】
プロジェクタ１００では、操作命令「OPEN」を入力すると、スタック領域のプロジェクタ表示データがまだソートされていないことから、ステップＳ２０６，Ｓ２０８を経て、プロジェクタ表示データに含まれる優先順位情報により特定される優先順位に従って、スタック領域のなかでプロジェクタ表示データが並び換えられる。このとき、プロジェクタ表示データに含まれる優先順位情報により特定される優先順位が高いものほどスタック領域の先頭方向に位置するように、プロジェクタ表示データが並び換えられる。すなわち、優先順位情報に対しては、発表順序に応じた優先順位が設定されていることから、各発表者のプロジェクタ表示データは、発表順序が若いものほどスタック領域の先頭方向に配置される。
【００５６】
そして、ステップＳ２１０〜Ｓ２１４を経て、スタック領域の先頭からプロジェクタ表示データが読み出され、読み出されたプロジェクタ表示データのサイズだけスタックポインタが加算され、読み出されたプロジェクタ表示データに基づいて投影装置４４で投影が開始される。スタック領域では、プロジェクタ表示データが発表順序に従って並び換えられているので、この場合、最初の発表者のプロジェクタ表示データに基づいて投影が開始される。
【００５７】
次に、発表順序で２番目の発表者がプレゼンテーションを行うには、その発表者は、同様に、プロジェクタ１００において操作命令「OPEN」を入力装置４０に入力する。プロジェクタ１００では、新たに操作命令「OPEN」を入力すると、２番目の発表者のプロジェクタ表示データに基づいて投影が開始される。これらは、発表順序で３番目以降の発表者についても同じである。
【００５８】
なお、発表者は、プレゼンテーションの投影中にプレゼンテーションを１ページ進めることを希望する場合は、プロジェクタ１００において操作命令「NEXT」を入力装置４０に入力する。プロジェクタ１００では、操作命令「NEXT」を入力すると、ステップＳ２１６，Ｓ２１８を経て、投影中のプレゼンテーションが１ページ先に進む。
また、発表者は、プレゼンテーションの投影中にプレゼンテーションを１ページ戻すことを希望する場合は、プロジェクタ１００において操作命令「PRIOR」を入力装置４０に入力する。プロジェクタ１００では、操作命令「PRIOR」を入力すると、ステップＳ２２０，Ｓ２２２を経て、投影中のプレゼンテーションが１ページ前に戻る。
【００５９】
このように、発表者は、自己のプロジェクタ表示データに対して発表順序に応じた優先順位を割り当てれば、発表順序に応じた順序で表示を行うことができる。また、発表者を新たに増やしたいといった場合には、該当の順序に応じた優先順位を割り当てればよい。これにより、プロジェクタ１００への登録順序を考慮することなく、また、状況変化にも比較的柔軟に対応することが可能となる。
【００６０】
このようにして、本実施の形態では、プロジェクタ１００は、投影を行うに先立って、プロジェクタ表示データに割り当てられた優先順位に従ってスタック領域のなかでプロジェクタ表示データを並び換え、投影を行うときは、スタック記憶方式に従った読出順序でスタック領域から読み出されるプロジェクタ表示データに基づいてその投影内容を投影装置４４で投影するようになっている。
【００６１】
これにより、発表時に操作作業を行うことなく比較的適切な順序で投影を行うことができるので、従来に比して、発表時に要する手間や時間および発表時にミスが生じる可能性を低減することができる。さらに、投影順序を比較的柔軟にスケジューリングすることができるので、従来に比して、投影順序のスケジューリングについて状況変化に柔軟に対応することができる。
【００６２】
さらに、本実施の形態では、プロジェクタ表示データは、優先順位を示す優先順位情報を含み、プロジェクタ１００は、投影を行うに先立って、プロジェクタ表示データに含まれる優先順位情報により特定される優先順位に従ってスタック領域のなかでプロジェクタ表示データを並び換えるようになっている。
これにより、優先順位情報をあらかじめプロジェクタ表示データに含めておけばよいので、発表時に要する手間や時間をさらに低減することができる。
【００６３】
上記実施の形態において、プロジェクタ表示データは、発明１ないし７、９ないし１２の表示データに対応し、ＣＰＵ３０は、発明１ないし７、９または１０の表示制御手段に対応し、記憶装置４２は、発明１ないし７、９ないし１２の表示データ記憶手段に対応している。また、投影装置４４は、発明１ないし３、６、９ないし１２の表示手段に対応し、プロジェクタ１００は、発明３ないし８の表示機器、または発明８の投影型表示装置に対応し、ステップ２０８は、発明１１の並び換えステップ、または発明１２の選択ステップに対応している。
【００６４】
また、上記実施の形態において、ステップＳ２１４は、発明１１または１２の表示ステップに対応している。
なお、上記実施の形態においては、プロジェクタ表示データをプロジェクタ１００の記憶装置４２に登録するように構成したが、これに限らず、インターネット１９９上にファイルサーバを設け、プロジェクタ表示データをファイルサーバに登録するように構成してもよい。この場合、プロジェクタ１００は、投影開始時等にファイルサーバから必要なプロジェクタ表示データを取得する。
【００６５】
また、上記実施の形態においては、プロジェクタ１００に記憶装置４２を設けて構成したが、これに限らず、記憶媒体を読み取り可能な読取装置をプロジェクタ１００に設け、複数のプロジェクタ表示データを登録した記憶媒体をプロジェクタ１００に与え、与えられた記憶媒体からプロジェクタ表示データを取得するように構成してもよい。
また、上記実施の形態において、図３および図４のフローチャートに示すプロジェクタ表示データ登録処理およびプロジェクタ制御処理を実行するにあたってはいずれも、ＲＯＭ３２にあらかじめ格納されている制御プログラムを実行する場合について説明したが、これに限らず、これらの手順を示したプログラムが記憶された記憶媒体から、そのプログラムをＲＡＭ３４に読み込んで実行するようにしてもよい。
【００６６】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【００６７】
また、上記実施の形態においては、本発明に係る表示制御システム、表示機器および表示制御プログラム、並びに表示制御方法を、インターネット１９９からなるネットワークシステムに適用した場合について説明したが、これに限らず、例えば、インターネット１９９と同一方式により通信を行ういわゆるイントラネットに適用してもよい。もちろん、インターネット１９９と同一方式により通信を行うネットワークに限らず、通常のネットワークに適用することもできる。
【００６８】
また、上記実施の形態においては、本発明に係る表示制御システム、表示機器および表示制御プログラム、並びに表示制御方法を、図１に示すように、各発表者がユーザ端末２００で作成したプロジェクタ表示データをプロジェクタ１００に送信し、プロジェクタ１００において、受信した複数のプロジェクタ表示データに基づいて所定順序で投影を行い、これによりプレゼンテーションを行う場合について適用したが、これに限らず、本発明の主旨を逸脱しない範囲で他の場合にも適用可能である。
【図面の簡単な説明】
【００６９】
【図１】本発明を適用するネットワークシステムの構成を示すブロック図である。
【図２】プロジェクタ１００の構成を示すブロック図である。
【図３】プロジェクタ表示データ登録処理を示すフローチャートである。
【図４】プロジェクタ制御処理を示すフローチャートである。
【符号の説明】
【００７０】
１００…プロジェクタ，  ２００…ユーザ端末，  ３０…ＣＰＵ，  ３２…ＲＯＭ，  ３４…ＲＡＭ，  ４０…入力装置，  ４２…記憶装置，  ４４…投影装置
【図１】
2004341548.tif 000003
【図２】
2004341548.tif 000004
【図３】
2004341548.tif 000005
【図４】
2004341548.tif 000006